(57)【特許請求の範囲】
【請求項１】
枠体に対して面材を開閉可能に支持する面材支持機構であって、
前記枠体に固定される略長方形板状のベース部材と、
このベース部材の長手方向に沿って移動可能な第１のリンク部材と、
一端側が前記ベース部材に回動自在に連結される第２のリンク部材と、
一端側が前記第１のリンク部材に回動自在に連結される第３のリンク部材と、
一端側が前記第３のリンク部材の他端側に回動自在に連結されるとともに他端側が前記第２のリンク部材の他端側に回動自在に連結されており、前記面材が固定される第４のリンク部材と、
一端側が前記第１のリンク部材に回動自在に連結されるとともに、他端側が前記第２のリンク部材に回動自在に連結される第５のリンク部材と、
前記第３のリンク部材に設けられた複数位置間摺接部材とを備え、
前記複数位置間摺接部材は、
前記第１のリンク部材および前記第３のリンク部材の間における回動中心周縁を含む回動中心領域に介装されている下第１摺接部と、
回動時に前記第１のリンク部材に摺接する下第２摺接部と、
回動時に前記第４のリンク部材に摺接する上第２摺接部と、
前記第３のリンク部材および前記第５のリンク部材の間における回動中心周縁を含む回動中心領域に介装されている中間第１摺接部と、
回動時に前記第５のリンク部材に摺接する中間第２摺接部とが一体的に形成された構成を有している面材支持機構。
【請求項２】
前記複数位置間摺接部材を前記第３のリンク部材に対して回動不能に位置決めする位置決め部を備えている請求項１に記載の面材支持機構。
【請求項３】
前記複数位置間摺接部材は、
前記下第１摺接部および前記下第２摺接部を有する略板状の摺接基部を備え、
前記位置決め部は、前記摺接基部の一面から前記第３のリンク部材の互いに略対向する一対の側面と略平行に突出する板状に形成され、前記中間第１摺接部および前記中間第２摺接部を含んで構成されている請求項２に記載の面材支持機構。
【請求項４】
建物に固定される枠体と、この枠体に開閉自在に支持される面材と、前記枠材に対して前記面材を開閉自在に支持する請求項１から請求項３のいずれかに記載の面材支持機構と、を備えている建具。
【発明の詳細な説明】
【技術分野】
【０００１】
本発明は、面材支持機構および建具に関する。
【背景技術】
【０００２】
従来、枠体に対して面材を開放状態で固定する開放固定装置が知られている（例えば、特許文献１参照）。
この特許文献１に記載のものは、枠体の回転軸を中心に回動自在に取り付けられた第１のアームプレートと、面材の回転軸を中心に回動自在に取り付けられた第２のアームプレートとからなるリンク機構を有している。第１のアームプレートと第２のアームプレートの自由端は、結合ピンにより回動自在に結合されている。そして、この結合ピンを用いた結合部には、第１のアームプレートと第２のアームプレートを挟むように円板状の摩擦板が挿入されている。
【０００３】
【特許文献１】特開平９−４１７６８号公報
【発明の開示】
【発明が解決しようとする課題】
【０００４】
ところで、特許文献１に記載のようなリンク機構の結合部に摩擦板を設ける構成を、例えば縦辷り出し窓を支持するリンク機構に適用することが考えられる。しかしながら、特許文献１のような構成では、リンク部材を結合する回動軸近傍のみに摩擦板が設けられているため、面材の重みによりリンク部材が撓んだ場合や面材の動きがばらついた場合、面材の開閉時に摩擦板が設けられた回動軸近傍から離れた位置においてリンク部材同士が擦れてしまい、リンク部材が傷ついてしまうおそれがある。
【０００５】
本発明の目的は、面材の開閉動作時に面材を支持しつつリンク部材同士の擦れを防止可能な面材支持機構および建具を提供することにある。
【課題を解決するための手段】
【０００６】
本発明の面材支持機構は、枠体に対して面材を開閉可能に支持する面材支持機構であって、前記枠体に固定される略長方形板状のベース部材と、このベース部材の長手方向に沿って移動可能な第１のリンク部材と、一端側が前記ベース部材に回動自在に連結される第２のリンク部材と、一端側が前記第１のリンク部材に回動自在に連結される第３のリンク部材と、一端側が前記第３のリンク部材の他端側に回動自在に連結されるとともに他端側が前記第２のリンク部材の他端側に回動自在に連結されており、前記面材が固定される第４のリンク部材と、一端側が前記第１のリンク部材に回動自在に連結されるとともに、他端側が前記第２のリンク部材に回動自在に連結される第５のリンク部材と、前記第３のリンク部材に設けられた複数位置間摺接部材とを備え、前記複数位置間摺接部材は、前記第１のリンク部材および前記第３のリンク部材の間における回動中心周縁を含む回動中心領域に介装されている下第１摺接部と、回動時に前記第１のリンク部材に摺接する下第２摺接部と、回動時に前記第４のリンク部材に摺接する上第２摺接部と、前記第３のリンク部材および前記第５のリンク部材の間における回動中心周縁を含む回動中心領域に介装されている中間第１摺接部と、回動時に前記第５のリンク部材に摺接する中間第２摺接部とが一体的に形成された構成を有していることを特徴とする。
【０００７】
ここで、第１摺接部および第２摺接部としては、樹脂や金属で形成されたものを適用できるが、摺接対象の部材を傷付け難い樹脂を適用することが好ましい。また、第１摺接部と第２摺接部とは、同一材料で形成されていてもよいし、異なる材料で形成されていてもよい。
【０００８】
以上の本発明によれば、第１のリンク部材および第３のリンク部材の回動中心領域に下第１摺接部を配置し、第３のリンク部材および第５のリンク部材の回動中心領域に中間第１摺接部を配置するとともに、第３のリンク部材に回動時に第１，第４，第５のリンク部材に摺接する下第２摺接部、上第２摺接部、中間第２摺接部を配置するので、面材の重みによりリンク部材が撓んだり面材の動きがばらついた場合でも、面材の開閉動作時に面材を支持しつつリンク部材同士の擦れを防止することができる。また、リンク部材同士の擦れを防止できるので、リンク部材の長寿命化を図ることができる。
また、上述のように設けられたベース部材と第１〜第５のリンク部材とを有する縦辷り出し窓におけるリンク部材同士の擦れを防止できる。
また、１個の複数位置間摺接部材を用いるだけで、リンク部材同士の擦れを防止でき、部品点数を最小限に抑えることができる。
【０００９】
また、本発明の面材支持機構では、前記複数位置間摺接部材を前記第３のリンク部材に対して回動不能に位置決めする位置決め部を備えている構成が好ましい。
ここで、位置決め部としては、前記第３のリンク部材と複数位置間摺接部材とを係合、圧入、ねじ止め、接着するなどの各種構成を適用することができる。
このような構成によれば、位置決め部で複数位置間摺接部材を前記第３のリンク部材に回動不能に位置決めするので、面材の動作時に複数位置間摺接部材の回動を防止できる。
【００１０】
さらに、本発明の面材支持機構では、前記複数位置間摺接部材は、前記下第１摺接部および前記下第２摺接部を有する略板状の摺接基部を備え、前記位置決め部は、前記摺接基部の一面から前記第３のリンク部材の互いに略対向する一対の側面と略平行に突出する板状に形成され、前記中間第１摺接部および前記中間第２摺接部を含んで構成されている構成が好ましい。
このような構成によれば、位置決め部として前記第３のリンク部材の一対の側面と当接することで複数位置間摺接部材を位置決めする構成を適用しているので、従来のリンク部材を加工することなく複数位置間摺接部材を位置決めできる。
【００１１】
そして、本発明の面材支持機構では、前記第１摺接部および前記第２摺接部が一体的に形成された摺接部材が前記一方のリンク部材に設けられている構成が好ましい。
ここで、第１摺接部と第２摺接部を別体とした場合、面材が動作したときにリンク部材の側面と第２摺接部の回動中心側の隅部とが衝突してしまい、面材の動作が妨げられるおそれがある。このため、隅部を面取りしたり、隅部に傾斜面を設ける等の対応を取ることが好ましい。これに対して、第１摺接部と第２摺接部を一体にした摺接部材とした場合、第２摺接部の回動中心側の隅部が無くなるので、面取り等することなく面材をスムーズに開閉させることができる。さらには、部品点数を最小限に抑えることができる。
【発明を実施するための最良の形態】
【００１５】
以下に本発明の一実施形態を図面に基づいて説明する。
図１は、本発明に係る建具としての縦辷り出し窓１を示す室外側から見た斜視図である。
図１において、縦辷り出し窓１は、戸建て住宅等の建物の外壁開口部に設けられるものであって、外壁開口部に固定される枠体としての窓枠２と、この窓枠２の内側に支持された面材としての障子１０とを備えて構成されている。
窓枠２は、上枠３、下枠４、および左右の縦枠５，６を四周枠組みして形成されている。障子１０は、上框１１、下框１２、および左右の縦框１３，１４を四周框組みした内部に、ガラスパネル１５を嵌め込んで構成されている。この障子１０は、窓枠２の上枠３および下枠４のそれぞれとの間に設けられた面材支持機構としての障子支持機構２０によって外側に辷り出しつつ開閉可能に支持されている。
【００１６】
次に、障子支持機構２０の詳細な構造について詳しく説明する。ここでは、窓枠２の下枠４と障子１０の下框１２との間に設けられた障子支持機構２０を例示して説明する。
図２は、全開時の障子支持機構２０を示す斜視図である。図３は、半開時の障子支持機構２０を示す斜視図である。図４は、閉鎖時の障子支持機構２０を示す平面図である。図５は、閉鎖時における障子支持機構２０の第１のリンク部材２２の近傍を示す断面図である。図６は、閉鎖時における障子支持機構２０の第２のリンク部材２３の中心近傍を示す断面図である。
【００１７】
障子支持機構２０は、図２〜図６に示すように、ベース部材２１と、第１のリンク部材２２と、第２のリンク部材２３と、第３のリンク部材２４と、第４のリンク部材２５と、第５のリンク部材２６とを備えている。ベース部材２１は、断面略コ字状のチャンネル状に形成され下枠４に固定されている。第１のリンク部材２２は、ベース部材２１の内部において長手方向に移動可能に設けられている。第２のリンク部材２３は、一端側が回動軸９１を介してベース部材２１の一端側に連結されている。この第２のリンク部材２３は、回動先端側の上面が回動基端側の上面よりも上方に位置するように屈曲している。第３のリンク部材２４は、一端側が回動軸９２を介して第１のリンク部材２２に連結されている。第４のリンク部材２５は、一端側が回動軸９３を介して第３のリンク部材２４の他端側に連結されており、他端側が回動軸９４を介して第２のリンク部材２３の他端側に連結されている。また、第４のリンク部材２５は、第２，第３のリンク部材２３，２４の上面側に位置するように連結されている。そして、第４のリンク部材２５の上面には、下框１２が取り付けられる。第５のリンク部材２６は、一端側が回動軸９２を介して第１のリンク部材２２および第３のリンク部材２４に連結されており、他端側が回動軸９５を介して第２のリンク部材２３に連結されている。また、第５のリンク部材２６は、第３のリンク部材２４の上面側かつ第２のリンク部材２３の下面側に位置するように設けられている。
ここで、第４のリンク部材２５は、障子１０が固定される本発明の面材側のリンク部材に対応している。また、この第４のリンク部材２５に直接連結された第２，第３のリンク部材２３，２４は、障子１０の重量を支持する本発明の枠体側のリンク部材に対応している。さらに、第２のリンク部材２３を介して第４のリンク部材２５に連結された第５のリンク部材２６も、障子１０の重量を支持する本発明の枠体側のリンク部材に対応している。
【００１８】
また、第２のリンク部材２３と第５のリンク部材２６とには、樹脂製の摺接部材３０がそれぞれ設けられている。第２のリンク部材２３に設けられる摺接部材３０は第４のリンク部材２５との間に介装され、第５のリンク部材２６に設けられる摺接部材３０は第２のリンク部材２３との間に介装される。
さらに、第３のリンク部材２４には、樹脂製の複数位置間摺接部材５０が設けられている。
【００１９】
次に、摺接部材３０の詳細な構成について、第２のリンク部材２３に設けられる場合を例示して説明する。図７は、摺接部材３０を下から見た図である。
摺接部材３０は、図７にも示すように、一方の短辺が略円弧状の略長方形板状に形成された摺接基部３１を備えている。この摺接基部３１は、第１摺接部３２と第２摺接部３３とから構成されている。具体的には、図２、図３、図６にも示すように、第１摺接部３２は、略円弧状の短辺（円弧辺）側の部分であり障子１０の一連の開閉動作時に第４のリンク部材２５と常時重なり合う領域（回動中心領域）に介装される。第２摺接部３３は、開閉動作時に第４のリンク部材２５と摺接する位置（回動時摺接領域）に介装される。
また、図７に示すように、第１摺接部３２には、回動軸９４が挿通する回動軸挿通孔３４が開口形成されている。さらに、摺接基部３１の一面には、一対の長辺および円弧辺から摺接基部３１の面方向と略直交する方向に板状に突出する位置決め部３５が設けられている。
そして、この位置決め部３５と摺接基部３１とで略区画形成される空間には、第２のリンク部材２３が配置される。このとき、位置決め部３５の長辺部分と第２のリンク部材２３の長辺側の側面とが接触することで、摺接部材３０は第２のリンク部材２３に対して回動不能に位置決めされる。また、摺接部材３０の円弧辺部分の位置決め部３５と第２のリンク部材２３の他端側の側面とが接触するとともに、回動軸挿通孔３４に回動軸９４が挿通されることで、摺接部材３０は第２のリンク部材２３の長手方向に対して位置決めされる。
【００２０】
次に、複数位置間摺接部材５０の詳細な構成について説明する。図８は、複数位置間摺接部材５０を上から見た図である。図９は、複数位置間摺接部材５０の短手方向に沿った断面図であり、図８のIX−IX線に沿った断面図である。
複数位置間摺接部材５０は、図８、図９にも示すように、一方の短辺が略円弧状の略長方形板状に形成され、第１，第３のリンク部材２２，２４間の第１配置位置に配置される摺接基部５１を備えている。この摺接基部５１は、円弧辺側の部分であり回動中心領域に介装される下第１摺接部５２と、回動時摺接領域に介装される下第２摺接部５３とから構成されている。
下第１摺接部５２には、回動軸９２が挿通する回動軸挿通孔５４が開口形成されている。さらに、摺接基部５１の一面には、一対の長辺および円弧辺から摺接基部５１の面方向と略直交する方向に板状に突出し、第３，第５のリンク部材２４，２６間の第３配置位置に配置される位置決め部５５が設けられている。この位置決め部５５は、中間第１摺接部５６と中間第２摺接部５７と非摺接部５８とから構成されている。具体的には、図２、図３、図５に示すように、中間第１摺接部５６は、円弧辺部分および長辺部分の円弧辺近傍部分であり回動中心領域に介装される。中間第２摺接部５７は、長辺部分の長手方向略中央部分であり回動時摺接領域に介装される。非摺接部５８は、長辺部分の中間第２摺接部５７以外の部分である。
さらに、図８、図９に示すように、位置決め部５５の非摺接部５８には、第３，第４のリンク部材２４，２５間の第２配置位置に配置される上第２摺接部５９が設けられている。この上第２摺接部５９は、摺接基部５１の短手方向略中央を通り長手方向に延びる線を対称軸とする線対称な形状を有し、これらを架け渡すように設けられている。また、上第２摺接部５９は、長方形板部分と略直角二等辺三角形板部分とにより略五角形板状に形成され、略直角二等辺三角形板部分の直角部分が摺接基部５１の略中央に向けて突出するように設けられている。そして、上第２摺接部５９は、図２〜図５に示すように、回動時摺接領域に介装される。
【００２１】
そして、摺接基部５１と位置決め部５５と上第２摺接部５９とで略区画形成される空間には、第３のリンク部材２４が配置される。このとき、位置決め部５５の長辺部分と第３のリンク部材２４の長辺側の側面とが接触することで、複数位置間摺接部材５０は第３のリンク部材２４に対して回動不能に位置決めされる。また、位置決め部５５の円弧辺部分と第３のリンク部材２４の他端側の側面とが接触するとともに、回動軸挿通孔５４に回動軸９２が挿通されることで、複数位置間摺接部材５０は第３のリンク部材２４の長手方向に対して位置決めされる。さらに、第３のリンク部材２４の上面および下面と、上第２摺接部５９および摺接基部５１とがそれぞれ接触することで、複数位置間摺接部材５０は第３のリンク部材２４の面と直交する方向に対して位置決めされる。
【００２２】
次に、以上の障子支持機構２０の動作について説明する。
図２〜図６に示すような開閉動作時において、各リンク部材２２〜２６は回動軸９１〜９５を中心に回動する。そして、第２のリンク部材２３（第５のリンク部材２６）と第４のリンク部材２５（第２のリンク部材２３）とが相対的に回動すると、第４のリンク部材２５（第２のリンク部材２３）は、回動中心近傍部分の下面が摺接部材３０の第１摺接部３２と常時摺接するとともに、回動中心から離れた部分（回動中心離間部分）の下面が第２のリンク部材２３（第５のリンク部材２６）と重なり合う回動状態のときのみに第２摺接部３３と摺接する。
【００２３】
また、第１，第３〜第５のリンク部材２２，２４〜２６が相対的に回動すると、第１のリンク部材２２は、回動中心近傍部分が複数位置間摺接部材５０の下第１摺接部５２と常時摺接するとともに、回動中心離間部分が第１のリンク部材２２と重なり合う回動状態のときのみに下第２摺接部５３と摺接する。
さらに、第５のリンク部材２６は、回動中心近傍部分の下面が中間第１摺接部５６と常時摺接するとともに、回動中心離間部分の下面が第１のリンク部材２２と重なり合う回動状態のときのみに中間第２摺接部５７と摺接する。ここで、第５のリンク部材２６と上第２摺接部５９とは略等しい高さ位置に存在しているが、上第２摺接部５９が略直角二等辺三角形板部分を有しており、第５のリンク部材２６の回動軌跡上に上第２摺接部５９が存在していない構成となっている。このため、図２に示すような全開状態のときでも両者が接触して回動が規制されることがない。
また、第４のリンク部材２５は、回動中心離間部分の下面が第３のリンク部材２４と重なり合う回動状態のときのみに上第２摺接部５９と摺接する。
【００２４】
このような実施形態によれば、以下のような効果がある。
（１）障子支持機構２０の第４のリンク部材２５に、障子１０の下框１２を取り付けている。また、この第４のリンク部材２５に回動可能に連結された第２のリンク部材２３と、この第２のリンク部材２３を介して第４のリンク部材２５に連結された第５のリンク部材２６とに、第１摺接部３２と第２摺接部３３とを有する摺接部材３０を設けている。さらに、第４のリンク部材２５に回動可能に連結された第３のリンク部材２４に、第１摺接部５２，５６と第２摺接部５３，５７，５９を有する複数位置間摺接部材５０を設けている。このため、各リンク部材２２〜２６の間の回動中心領域に第１摺接部３２，５２，５６を介装するとともに、回動時摺接領域に第２摺接部３３，５３，５７，５９を介装することができ、障子１０の重みにより各リンク部材２２〜２６が撓んだり障子１０の動きがばらついた場合でも、開閉動作時に障子１０を支持しつつ回動時摺接領域における各リンク部材２２〜２６同士の擦れを防止することができる。さらに、各リンク部材２２〜２６の長寿命化を図ることができる。
【００２５】
（２）摺接部材３０および複数位置間摺接部材５０に位置決め部３５，５５を設けているので、障子１０の動作時に摺接部材３０や複数位置間摺接部材５０の各リンク部材２３，２６，２４に対する回動を防止できる。さらに、位置決め部３５，５５として、各リンク部材２３，２６，２４の側面と当接する略板状に形成して各リンク部材２３，２６，２４に対して位置決めする構成を適用しているため、従来の各リンク部材２３，２６，２４を加工することなく摺接部材３０や複数位置間摺接部材５０を位置決めすることができる。
【００２６】
（３）摺接部材３０を回動中心領域から回動時摺接領域にかけての一連の領域に介装させているため、障子１０をスムーズに開閉させることができる。さらに、部品点数を最小限に抑えることができる。
【００２７】
（４）複数位置間摺接部材５０として、各リンク部材２２，２５，２６との間に介装される第１摺接部５２，５６と第２摺接部５３，５７，５９と一体的に設けた構成を適用しているため、１個の複数位置間摺接部材５０を用いるだけで、各リンク部材２２，２５，２６同士の擦れを防止でき、部品点数を最小限に抑えることができる。
【００２８】
（５）上第２摺接部５９を線対称の形状としているため、窓枠２の上枠３と障子１０の上框１１との間に取り付けられる障子支持機構２０に複数位置間摺接部材５０を用いた場合でも、第５のリンク部材２６の回動軌跡上に上第２摺接部５９が存在しない構成にすることができる。したがって、１種類の複数位置間摺接部材５０を上下の障子支持機構２０に用いることができ、部品種類数を最小限に抑えることができる。また、開き方向が反対の縦辷り出し窓にも、複数位置間摺接部材５０を適用することができる。
【００２９】
なお、本発明は、前記一実施形態に限定されるものではなく、本発明の目的を達成できる他の構成等を含み、以下に示すような変形等も本発明に含まれる。
例えば、摺接部材３０や複数位置間摺接部材５０のうち少なくとも一方を金属製にしてもよい。また、摺接部材３０を摺接基部３１のみで構成して、各リンク部材２３，２６に係合、圧入、ねじ止め、接着などにより位置決めする構成としてもよい。
そして、例えば図１０に示すように、摺接部材３０の代わりに、第１摺接部７１と、この第１摺接部７１と別体で構成された第２摺接部７２とを適用してもよい。さらには、複数位置間摺接部材５０も同様に第１摺接部５２，５６と第２摺接部５３，５７，５９を別体で構成してもよい。これらの構成の場合、第１摺接部７１と第２摺接部７２とは同一材料で形成されていてもよいし、異なる材料で形成されていてもよい。また、第２摺接部７２の第１摺接部７１と略対向する隅部を面取りしたりすることで、障子１０の動作をスムーズにできる。
また、５個のリンク部材２２〜２６を有する障子支持機構２０に本発明の摺接部材３０を設けた構成を例示したが、少なくとも２個のリンク部材を有する面材支持機構に摺接部材３０を設けることができる。
【００３０】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００３１】
【図１】本発明の実施形態に係る縦辷り出し窓を示す室外側から見た斜視図である。
【図２】全開時の障子支持機構を示す斜視図である。
【図３】半開時の障子支持機構を示す斜視図である。
【図４】閉鎖時の障子支持機構を示す平面図である。
【図５】閉鎖時における障子支持機構の第１のリンク部材の近傍を示す断面図である。
【図６】閉鎖時における障子支持機構の第２のリンク部材の中心近傍を示す断面図である。
【図７】摺接部材を下から見た図である。
【図８】複数位置間摺接部材を上から見た図である。
【図９】複数位置間摺接部材の短手方向に沿った断面図である。
【図１０】本発明の変形例に係る第１摺接部および第２摺接部の斜視図である。
【符号の説明】
【００３２】
１…縦辷り出し窓（建具）、２…窓枠（枠体）、１０…障子（面材）、２０…障子支持機構（面材支持機構）、２１…ベース部材、２２…第１のリンク部材、２３，２４，２６…第２，第３，第５のリンク部材（枠体側のリンク部材）、２５…第４のリンク部材（面材側のリンク部材）、３０…摺接部材、３２，５２，５６，７１…第１摺接部、３３，５３，５７，５９，７２…第２摺接部、３５，５５…位置決め部、５０…複数位置間摺接部材。
【図１】
0004964163.tif 000002
【図２】
0004964163.tif 000003
【図３】
0004964163.tif 000004
【図４】
0004964163.tif 000005
【図５】
0004964163.tif 000006
【図６】
0004964163.tif 000007
【図７】
0004964163.tif 000008
【図８】
0004964163.tif 000009
【図９】
0004964163.tif 000010
【図１０】
0004964163.tif 000011